(57)【特許請求の範囲】
【請求項１】
飲料を充填する容器本体の開口を覆う容器の蓋において、
前記容器本体の開口の周縁部と接合される接合部を有する合成樹脂成形体から成るフレーム部と、
前記フレーム部の開封部位に一体に連設され、破断されると注出口になる切断誘導部を有する板状部と、
前記フレームの破断されて形成される注出口に隣接しかつ該注出口に対して外周側に形成され、飲料を飲むときに唇が接触する平坦部と、
前記フレーム部の開口部を覆うように前記フレーム部に複合され、しかも前記板状部の切断誘導部よりも外側に位置し、注出口の周縁部を囲むように形成されている切断誘導部を有し、かつ前記平坦部の上に及んでいる紙製のシートと、
前記板状部の切断誘導部によって囲まれる領域であって切断開始位置の近傍と前記シートの切断誘導部によって囲まれる領域であって切断開始位置の近傍とに連結されているプルタブと、
をそれぞれ具備し、
前記紙製のシートの切断誘導部によって囲まれる領域によってフレーム部の注出口の周囲の唇が接触する平坦部が予めシールされていることを特徴とする容器の蓋。
【請求項２】
蓋のほぼ中心部に前記プルタブが連結され、該プルタブの連結位置を頂点とするほぼ２等辺３角形の形状に前記注出口が形成されていることを特徴とする請求項１に記載の容器の蓋。
【発明の詳細な説明】
【０００１】
【産業上の利用分野】
本発明は容器の蓋に係り、とくに容器本体の開口を覆う容器の蓋に関する。
【０００２】
【従来の技術】
各種の飲料を充填して供給するために金属缶が用いられている。すなわちアルミニウム合金あるいは鋼板によって構成され、その蓋の部分に切断誘導部を形成するとともに、切断誘導部の切断開始位置にプルタブを取付けるようにした容器が用いられている。このような容器内の飲料を飲む場合には、プルタブを引張って蓋の注出口を開封すればよい。
【０００３】
【発明が解決しようとする課題】
従来のこのような金属缶から成る容器によれば、プルタブを引張って蓋の切断誘導部のところを破断することによって注出口を形成するようになっている。従ってこのような金属缶の容器から直接内容物である飲料を飲む場合には、破断された注出口の周囲の部分に唇が接することになる。従ってこのような金属缶が置かれた雰囲気が不潔な場合には、汚れた金属缶の外表面であって注出口の周囲に口を接触して飲むことになり、衛生的ではない。
【０００４】
開封の前に注出口と対応する部分をきれいに布等で拭くことも考察されるが、非常に面倒である。また金属缶は廃棄する際に押し潰されなければならず、廃棄処理が面倒になる欠点がある。さらに金属缶から成る容器は、重量が大きいという欠点がある。
【０００５】
このような問題点に鑑みて、紙製のカップ状容器によって飲料を充填して供給することが考察される。ところが通常のカップ状をなす紙製容器（紙コップ）は、着脱可能に合成樹脂製の蓋を装着することができるものの、バージンシールを行なって供給することができず、通常は販売の際に飲料の注出を行なう自動販売機等に用いられている。
【０００６】
本発明はこのような問題点に鑑みてなされたものであって、開封の際に清潔な注出口が露出されるとともに、廃棄する際にわざわざ押し潰す必要がなく、容易に廃棄処理を行ない得るようにした容器の蓋を提供することを目的とするものである。
【０００７】
【課題を解決するための手段】
本発明は、容器本体の開口縁部をフレーム部の外周部に形成されている接合部によって接合するとともに、フレーム部の板状部に注出口を形成するための切断誘導部を設け、さらにフレーム部の破断されて形成される注出口に隣接しかつ該注出口に対して外周側に、飲料を飲むときに唇が接触する平坦部を設けておき、しかもフレーム部の開口部を紙製のシートによって覆うようにし、上記板状部の切断誘導部よりも外側の位置において注出口の周縁部を囲むように紙製シートに切断誘導部を形成し、板状部とシートの切断開始位置の近傍に設けられているプルタブを引張ることによって、板状部の切断誘導部とシートの切断誘導部とがともに破断されて注出口が形成されるとともに、シートの切断誘導部によって囲まれる領域でシールされていた平坦部であって唇が接触する部分が露出されるようにしたものである。
【０００８】
とくに本発明において、紙製シートの切断誘導部によって囲まれる領域によって、フレーム部の注出口の周囲であって唇が接触する部分を予めシールするようにしており、プルタブを引張って板状部の切断誘導部とシートの切断誘導部とを破断すると、フレーム部の注出口の周囲の部分、とくに唇が接触する部分が初めて露出されることになる。
【０００９】
また蓋のほぼ中央部にプルタブを連結するようにし、このプルタブの連結位置を頂点とするほぼ２等辺３角形状の注出口を蓋に形成することによって、非常に飲み易い注出口を形成することが可能になり、飲みながらしかもこの２等辺３角形の形状の注出口を通して中に空気が導入され、円滑な注出が行なえる容器の蓋となる。
【００１０】
【作用】
板状部とシートの切断開始位置の近傍に連結されているプルタブを引張ると、板状部の切断誘導部とシートの切断誘導部とが一緒に破断される。そして板状部の切断誘導部の破断によって注出口が形成されるとともに、シートの切断誘導部の破断によって注出口の周縁部を囲む領域が露出されることになる。
【００１１】
【実施例】
図１および図２は本発明の一実施例に係る容器の蓋１１を適用した容器を示すものであって、容器は容器本体１０と蓋１１とから構成されている。蓋１１は容器本体１０の上部であって開口１２を閉塞するようにこの容器本体１０の上部に装着されるようになっている。
【００１２】
容器本体１０は板紙によって構成されている。すなわち図１および図２に示すように、扇形の原紙を巻いて形成された胴部１５を有するとともに、この胴部１５の上端であって開口１２の周縁部がフランジ１６になっている。フランジ１６は胴部１５の上端側の部分を外側へ巻いてカール部を形成するとともに、このカール部を押し潰すことによって形成されている。
【００１３】
胴部１５の下端側は図２に示すように、内側へ折返されて折返し部１７が形成されている。そして容器本体１０の底部を閉塞する底板１８にはその外周側に下方へ折曲がった周璧１９が形成されるとともに、この周璧１９が折返し部１７と胴部１５との間に挟着されるようになっている。
【００１４】
次にこのような容器本体１０の開口１２を閉塞するように装着される蓋１１の構造を図１、図２、および図３によって説明する。図１に示すように蓋１１はオレフィン系樹脂、例えばポリエチレンあるいはポリプロピレンの成形体から成るフレーム部２２を備えている。
【００１５】
フレーム部２２はほぼ円形の形状をなし、その外周側にはフランジ状をなす接合リング部２３が設けられている。接合リング部２３の下面にはとくに図２に示すように同心円状に２本の突条２４が形成されている。蓋１１が容器本体１０の開口１２を覆うように装着された場合に、突条２４が容器本体１０のフランジ１６の上面に食込み、これによって接合部が確実にシールされるようになっている。
【００１６】
またフレーム部２２の外周側は円錐台状をなす周璧部２５になっている。そして周璧部２５の円周方向の一部が直線状をなす平坦部２６に形成されている。この平坦部２６は注出口の飲み口の唇が接触する部分を構成するようになっている。
【００１７】
円形状のフレーム部２２には、上記平坦部２６と対応する位置において中心側へ突出する板状部３０が一体に形成されている。板状部３０上にはほぼ３角形の形状をなすように切断誘導部３１が形成されている。また板状部３０の先端側であってその両肩の部分にはそれぞれ突部３２が形成されている。また突部３２によって囲まれるように蓋１１の中心部に位置して連結部３３が連設されている。そしてフレーム部２２の板状部３０が形成されている部分以外の部分は開口部３４になされている。
【００１８】
フレーム部２２の上記開口部３４を閉塞するように紙シート３８がこのフレーム部２２に組合わされるようになっている。紙シート３８は板紙から構成されており、その外周側が周璧部３９になっている。そして紙シート３８の中心部には小さな円形孔４０が形成されている。そしてこの円形孔４０から延びるようにほぼ３角形状の切断誘導部４１が形成されている。
【００１９】
そして切断誘導部４１の３角形の底辺と対応する位置よりも外周側において紙シート３８には舌片４２が形成されている。舌片４２は上記フレーム部２２の平坦部２６の外周壁を覆うようになっている。そしてフレーム部２２の開口部３４を閉塞するようにこのフレーム部２２に装着される紙シート３８がフレーム部２２に組合わされた状態で、この紙シート３８の上部には上記フレーム部２２の板状部３０の先端の連結部３３に連結された状態でプルタブ４４が形成されている。
【００２０】
以上のように構成において、容器本体１０内には所定量の飲料が充填されるとともに、開口部３４が紙シート３８によって閉塞された蓋１１が図２に示すように容器本体１０の開口１２を閉塞するように装着される。フレーム部２２の接合リング部２３の下面に設けられている同心円状の一対の突条２４が容器本体１０のフランジ１６の上面に圧着され、これによって容器本体１０の開口１２は蓋１１によって閉じられた状態でシールされる。そしてこのようにして飲料が入っている容器が物流に供されることになる。
【００２１】
容器内の飲料を飲む場合には、蓋１１のほぼ中央部に連結されているプルタブ４４を図５に示すように上方へ引張る。プルタブ４４はフレーム部２２の板状部３０の連結部３３に連結されている。そしてプルタブ４４と連結部３３との間に紙シート３８が介在しているために、プルタブ４４を引張ると板状部３０の切断誘導部３１と紙シート３８の切断誘導部４１とがともに破断されることになる。そしてとくに板状部３０の切断誘導部３１を破断することによって、ほぼ２等辺３角形の注出口４８が図６に示すように形成される。
【００２２】
この容器の蓋１１の特徴は、プルタブ４４を引張ることによって紙シート３８の切断誘導部４１が破断されることである。そしてこの切断誘導部４１によって破断される領域の先端側の部分に舌片４２が連設されており、この舌片４２がフレーム部２２の周璧部２５の平坦部２６を覆っており、この部分が紙シート３８の破断によって露出されることになる。フレーム部２２の平坦部２６は注出口４８の周囲に位置しており、しかも中の飲料を飲む際に唇が接触する部分を構成している。従って外部の汚損から舌片４２で保護された部分が露出されることになる。
【００２３】
このように本実施例に係る容器によれば、プルタブ４４を引張ってフレーム部２２の板状部３０の切断誘導部３１を破断することによって注出口４８を形成するとともに、このときにプルタブ４４によって紙シート３８の切断誘導部４１を破断し、舌片４２でシールされている平坦部２６を露出させるようにしているために、今までバージンシールされていた飲み口が開封の際に露出されるようになり、極めて衛生的になる。
【００２４】
またこの容器の開封が、プルタブ４４を引張ることによって、フレーム部２２の切断誘導部３１と紙シート３８の切断誘導部４１とを破断することによって達成されるようになっており、非常に軽い力で開封を行なうことが可能になる。
【００２５】
しかもプルタブ４４を引張って形成される注出口４８は図３に示すように連結部３３を頂点とするほぼ２等辺３角形の形状をなしており、比較的大きな寸法の注出口４８が形成される。従って飲む際に中に空気が導入され、円滑に注出が行なわれ、こぼれ難い構成になる。
【００２６】
しかも蓋１１の上面は紙シート３８から構成されているために、容易に印刷によってデザインを形成することが可能になる。容器本体１０についても紙によって構成されており、その胴部１５の外周面に容易に印刷による表示が行ない得るようになる。
【００２７】
またこの容器は蓋１１のフレーム２２以外はすべて紙で出来ており、廃棄する際に押し潰す必要がなく、焼却処理も容易である。フレーム２２を分離すれば、この部分をリサイクルすることも可能になり、廃棄物公害の防止に有効である。
【００２８】
【発明の効果】
以上のように本発明は、容器本体の開口の周縁部をフレーム部の接合部によって接合するとともに、フレーム部の開封部位に形成されている板状部に注出口となる切断誘導部を設け、さらにフレーム部の破断されて形成される注出口に隣接しかつ該注出口に対して外周側に、飲料を飲むときに唇が接触する平坦部を予め設けるようにし、しかもフレーム部の開口部を紙製のシートによって覆うようにし、この紙製シートには板状部の切断誘導部よりも外側に位置して注出口の周縁部を囲むように切断誘導部を形成し、プルタブを引張ると板状部の切断誘導部とシートの切断誘導部とがともに破断されて注出口が形成されるとともに、シートの切断誘導部によって囲まれる領域でシールされていた平坦部であって唇が接触する部分が露出されるようにしたものである。
【００２９】
従って本発明によれは、プルタブを引張ることによってフレーム部の板状部の切断誘導部が破断され、注出口が形成される。しかも板状部の注出口の周囲の部分を囲むように設けられていた紙製シートがその切断誘導部のところで破断されるために、紙製のシートによって外部からの汚染から保護されていた飲み口の部分が露出されることになり、衛生的に飲料を飲むことが可能になる。
【００３０】
本発明において、飲料を充填するための容器本体に用いられる蓋であって、紙製のシートの切断誘導部によって囲まれる領域によってフレーム部の注出口の周囲であってとくに唇が接触する部分を予めシールすることによって、より確実に飲み口の部分をシールすることが可能になり、飲む際に上記飲み口の部分が露出されるようになり、より衛生的な飲料用容器になる。
【００３１】
また蓋のほぼ中心部にプルタブを連結し、このプルタブの連結位置を中心としてほぼ２等辺３角形の形状の注出口を形成するようにすると、比較的大きな注出口が形成されるとともに、飲んでいる際に同時に容器の中に空気が導入され、円滑に注出しながら飲むことが可能になる。
【図面の簡単な説明】
【図１】容器の蓋の構造を示す要部分解斜視図である。
【図２】容器の全体の構造を示す縦断面図である。
【図３】容器の蓋の平面図である。
【図４】同外観斜視図である。
【図５】開封の動作を示す外観斜視図である。
【図６】開封を行なった状態の外観斜視図である。
【符号の説明】
１０  容器本体
１１  蓋
１２  開口
１５  胴部
１６  フランジ
１７  折返し部
１８  底板
１９  周璧
２２  フレーム部
２３  接合リング部
２４  突条
２５  周璧部
２６  平坦部
３０  板状部
３１  切断誘導部
３２  突部
３３  連結部
３４  開口部
３８  紙シート
３９  周璧部
４０  円形孔
４１  切断誘導部
４２  舌片
４４  プルタブ
４８  注出口
【図１】
0003709502.tif 000002
【図２】
0003709502.tif 000003
【図３】
0003709502.tif 000004
【図４】
0003709502.tif 000005
【図５】
0003709502.tif 000006
【図６】
0003709502.tif 000007